【手続補正書】
【提出日】平成23年7月14日(2011.7.14)
【手続補正１】
【補正対象書類名】特許請求の範囲
【補正対象項目名】全文
【補正方法】変更
【補正の内容】
【特許請求の範囲】
【請求項１】
サーバ装置と、顧客の端末装置とで構成された画像表示システムであって、
前記サーバ装置は、
商品の画像と、該商品の詳細情報と、該詳細情報へのリンク情報とが関連付けて保存された商品データベースと、
前記商品データベースに保存された商品から前記端末装置へ送信する商品群を決定する商品群決定手段と、
前記商品群決定手段により決定された商品群の画像と、該画像に対応する商品の詳細情報へのリンク情報とを前記端末装置へ送信するサーバ側送信手段と、を備え、
前記端末装置は、
表示手段と、
前記サーバ装置から送信された商品群の画像と、該画像に対応する商品の詳細情報へのリンク情報とを受信する端末側受信手段と、
前記端末側受信手段により受信された商品群の画像を１枚ずつ順番に前記表示手段にスライドショー表示する第１表示制御手段であって、前記１枚ずつ表示される商品の画像全体が前記表示手段全体に表示されるように前記商品の画像の表示を制御する第１表示制御手段と、
前記表示手段に表示された画像への選択入力を受け付ける受付手段と、
前記受付手段により選択入力を受け付けると、前記端末側受信手段により受信したリンク情報に基づいて、前記受付手段が選択入力を受け付けた画像に対応する商品の詳細情報を前記商品データベースから取得する詳細情報取得手段と、
前記詳細情報取得手段により取得された詳細情報を前記表示手段に表示する第２表示制御手段と、
を備えたことを特徴とする画像表示システム。
【請求項２】
前記サーバ装置は、前記商品データベースに新たな商品の画像が保存されたかどうかを判断する判断手段を備え、
前記商品群決定手段は、前記判断手段により新たな商品の画像が保存されたと判断された場合には、前記商品データベースに保存された商品から前記端末装置へ送信する商品群を決定することを特徴とする請求項１に記載の画像表示システム。
【請求項３】
前記端末装置は、前記サーバ装置へデータ送信を要求する要求送信手段を備え、
前記サーバ装置は、前記要求送信手段から送信されたデータ送信の要求を受信する要求受信手段を備え、
前記商品群決定手段は、前記要求受信手段によってデータ送信の要求が受信されると、前記商品データベースに保存された商品から前記端末装置へ送信する商品群を決定することを特徴とする請求項１又は２に記載の画像表示システム。
【請求項４】
前記端末装置は、該端末装置を所持する顧客に関する情報を送信する顧客情報送信手段を備え、
前記サーバ装置は、
前記顧客情報送信手段により送信された顧客に関する情報を受信する顧客情報受信手段と、
前記顧客情報受信手段により受信された顧客に関する情報と、該顧客が購入した商品の購入履歴とを関連付けて保存する顧客データベースを備え、
前記商品群決定手段は、前記顧客データベースに保存された商品の購入履歴に基づいて、前記商品データベースに保存された商品の中から前記端末装置へ送信する商品群を決定することを特徴とする請求項１から３のいずれかに記載の画像表示システム。
【請求項５】
前記顧客データベースは、前記顧客が購入した商品の購入履歴として前記顧客が購入した商品の詳細情報を保存し、
前記商品群決定手段は、前記商品データベースに保存された商品の詳細情報と、前記顧客データベースに保存された商品の詳細情報とを比較し、前記商品データベースに保存された商品の中から前記顧客データベースに保存された詳細情報と略一致する詳細情報に関連付けられた商品を前記商品群として決定することを特徴とする請求項４に記載の画像表示システム。
【請求項６】
前記サーバ装置は、商品の画像から特徴量を算出する特徴量算出手段を備え、
前記商品データベースは、商品の画像と、前記特徴量算出手段により該商品の画像から算出された特徴量とを関連付けて保存し、
前記顧客データベースは、前記顧客が購入した商品の購入履歴として前記顧客が購入した商品の画像から前記特徴量算出手段によって算出された特徴量を保存し、
前記商品群決定手段は、前記商品データベースに保存された特徴量と、前記顧客データベースに保存された特徴量とを比較し、前記商品データベースに保存された商品の中から前記顧客データベースに保存された特徴量と略一致又はその差が所定の閾値以下の特徴量を有する商品を前記商品群として決定することを特徴とする請求項４に記載の画像表示システム。
【請求項７】
前記端末装置は、当該端末装置に関する情報を送信する端末情報送信手段を備え、
前記サーバ装置は、
前記端末情報送信手段により送信された端末装置に関する情報を受信する端末情報受信手段と、
端末装置に関する情報を保存する端末データベースと、
前記端末情報受信手段により受信した端末装置に関する情報と、前記端末データベースに  保存された端末装置に関する情報とに基づいて、前記端末装置へ送信可能な商品の画像の枚数を判断する枚数判断手段と、を備え、
前記サーバ側送信手段は、前記商品群決定手段により決定された商品群の画像のうち、前記枚数判断手段により端末装置へ送信可能と判断された枚数の画像を一度に前記端末装置へ送信することを特徴とする請求項１から６のいずれかに記載の画像表示システム。
【請求項８】
請求項１から７のいずれかに記載の画像表示システムを構成するサーバ装置。
【請求項９】
請求項１から７のいずれかに記載の画像表示システムを構成する端末装置。
【請求項１０】
操作者により方向の指示が入力される方向入力手段を備え、
前記第１表示制御手段は、前記複数の商品の画像を前記方向入力手段により入力された方向に順番にスライドさせることによるスライドショー表示を行うことを特徴とする請求項９に記載の端末装置。
【請求項１１】
前記方向入力手段は、
前記表示手段の正面にある被写体を撮像する撮像手段と、
前記撮像手段により撮像された被写体の動きを認識する認識手段と、
前記認識手段により認識された被写体の動きの方向を前記方向入力手段に入力された方向の指示と判断する第１方向判断手段と、
を有することを特徴とする請求項１０に記載の端末装置。
【請求項１２】
前記方向入力手段は、
当該端末装置の振動及びその方向を検出する振動検出手段と、
前記振動検出手段により検出された端末装置の振動の方向を前記方向入力手段に入力された方向の指示と判断する第２方向判断手段と、
を有することを特徴とする請求項１０又は１１に記載の端末装置。
【手続補正２】
【補正対象書類名】明細書
【補正対象項目名】０００７
【補正方法】変更
【補正の内容】
【０００７】
請求項１に記載の画像表示システムは、サーバ装置と、顧客の端末装置とで構成された画像表示システムであって、前記サーバ装置は、商品の画像と、該商品の詳細情報と、該詳細情報へのリンク情報とが関連付けて保存された商品データベースと、前記商品データベースに保存された商品から前記端末装置へ送信する商品群を決定する商品群決定手段と、前記商品群決定手段により決定された商品群の画像と、該画像に対応する商品の詳細情報へのリンク情報とを前記端末装置へ送信するサーバ側送信手段と、を備え、前記端末装置は、表示手段と、前記サーバ装置から送信された商品群の画像と、該画像に対応する商品の詳細情報へのリンク情報とを受信する端末側受信手段と、前記端末側受信手段により受信された商品群の画像を１枚ずつ順番に前記表示手段にスライドショー表示する第１表示制御手段であって、前記１枚ずつ表示される商品の画像全体が前記表示手段全体に表示されるように前記商品の画像の表示を制御する第１表示制御手段と、前記表示手段に表示された画像への選択入力を受け付ける受付手段と、前記受付手段により選択入力を受け付けると、前記端末側受信手段により受信したリンク情報に基づいて、前記受付手段が選択入力を受け付けた画像に対応する商品の詳細情報を前記商品データベースから取得する詳細情報取得手段と、前記詳細情報取得手段により取得された詳細情報を前記表示手段に表示する第２表示制御手段と、を備えたことを特徴とする。
【手続補正３】
【補正対象書類名】明細書
【補正対象項目名】００１１
【補正方法】変更
【補正の内容】
【００１１】
請求項３に記載の画像表示システムは、請求項１又は２に記載の画像表示システムにおいて、前記端末装置は、前記サーバ装置へデータ送信を要求する要求送信手段を備え、前記サーバ装置は、前記要求送信手段から送信されたデータ送信の要求を受信する要求受信手段を備え、前記商品群決定手段は、前記要求受信手段によってデータ送信の要求が受信されると、前記商品データベースに保存された商品から前記端末装置へ送信する商品群を決定することを特徴とする。
【手続補正４】
【補正対象書類名】明細書
【補正対象項目名】００１７
【補正方法】変更
【補正の内容】
【００１７】
請求項６に記載の画像表示システムは、請求項４に記載の画像表示システムにおいて、前記サーバ装置は、商品の画像から特徴量を算出する特徴量算出手段を備え、前記商品データベースは、商品の画像と、前記特徴量算出手段により該商品の画像から算出された特徴量とを関連付けて保存し、前記顧客データベースは、前記顧客が購入した商品の購入履歴として前記顧客が購入した商品の画像から前記特徴量算出手段によって算出された特徴量を保存し、前記商品群決定手段は、前記商品データベースに保存された特徴量と、前記顧客データベースに保存された特徴量とを比較し、前記商品データベースに保存された商品の中から前記顧客データベースに保存された特徴量と略一致又はその差が所定の閾値以下の特徴量を有する商品を前記商品群として決定することを特徴とする。
【手続補正５】
【補正対象書類名】明細書
【補正対象項目名】００２３
【補正方法】変更
【補正の内容】
【００２３】
請求項１０に記載の端末装置は、請求項９に記載の端末装置において、操作者により方向の指示が入力される方向入力手段を備え、前記第１表示制御手段は、前記複数の商品の画像を前記方向入力手段により入力された方向に順番にスライドさせることによりスライドショー表示を行うことを特徴とする。
【手続補正６】
【補正対象書類名】明細書
【補正対象項目名】００２５
【補正方法】変更
【補正の内容】
【００２５】
請求項１１に記載の端末装置は、請求項１０に記載の端末装置において、前記方向入力手段は、前記表示手段の正面にある被写体を撮像する撮像手段と、前記撮像手段により撮像された被写体の動きを認識する認識手段と、前記認識手段により認識された被写体の動きの方向を前記方向入力手段に入力された方向の指示と判断する第１方向判断手段と、を有することを特徴とする。
【手続補正７】
【補正対象書類名】明細書
【補正対象項目名】００２７
【補正方法】変更
【補正の内容】
【００２７】
請求項１２に記載の端末装置は、請求項１０又は１１に記載の端末装置において、前記方向入力手段は、当該端末装置の振動及びその方向を検出する振動検出手段と、前記振動検出手段により検出された端末装置の振動の方向を前記方向入力手段に入力された方向の指示と判断する第２方向判断手段と、を有することを特徴とする。